(57)【要約】  付属品を保持するよう適合されたデバイスが開示される。デバイスは、１つ又は複数の字消し、１つ又は複数のマーカ、１つ又は複数のタッチペン及び他の付属品を保持するよう適合され得る。１つ又は複数の字消しは、１つ又は複数のマーカに対してオフセット角度を含み得る。１つ若しくは複数の字消し及び／又は１つ若しくは複数のマーカは取り外し可能であり得るとともに交換可能であり得る。【選択図】なし【特許請求の範囲】
【請求項１】
１つ又は複数の付属品を保持するように適合されたデバイスであって、前記デバイスが、
上部分及び下部分を有する本体と、
前記上部分で構成された１つ又は複数の字消しと、
前記下部分で構成された第１保持要素と、を備え、
前記第１保持要素が、１つ又は複数の第１筆記デバイスを保持するように適合される、デバイス。
【請求項２】
前記デバイスが、前記上部分で構成された第２保持要素をさらに備え、前記第２保持要素が１つ又は複数の第２筆記デバイスを保持するように適合される、請求項１に記載のデバイス。
【請求項３】
前記１つ又は複数の字消しが少なくとも１つのホワイトボード字消しを含み、前記１つ又は複数の第１筆記デバイスが少なくとも１つのホワイトボードマーカを含む、請求項１に記載のデバイス。
【請求項４】
前記１つ又は複数の字消しの少なくとも１つの長手方向軸が、前記第１保持要素と共に構成された前記１つ又は複数の第１筆記デバイスの少なくとも１つの長手方向軸から第１角度だけオフセットされる、請求項１に記載のデバイス。
【請求項５】
前記第２保持要素と共に構成された前記１つ又は複数の第２筆記デバイスの少なくとも１つの長手方向軸が、前記下部分の長手方向軸から第２角度だけオフセットされる、請求項２に記載のデバイス。
【請求項６】
前記第１保持要素が空洞を含む、請求項１に記載のデバイス。
【請求項７】
前記１つ又は複数の字消しが全部で２つの字消しを含み、第１字消しが第２字消しに対して角度オフセットを含む、請求項１に記載のデバイス。
【請求項８】
前記１つ又は複数の筆記デバイスの少なくとも１つが少なくとも１つのタッチペンを含む、請求項１に記載のデバイス。
【請求項９】
前記少なくとも１つのタッチペンがアクティブタッチペン及びパッシブタッチペンを含む、請求項８に記載のデバイス。
【請求項１０】
前記デバイスが前記上部分と前記下部分との間に構成された枢動要素をさらに含み、前記上部分及び／又は前記下部分が前記枢動要素を中心として枢動するよう適合される、請求項１に記載のデバイス。
【請求項１１】
前記１つ又は複数の字消しの少なくとも１つが前記上部分と取り外し可能に構成される、請求項１に記載のデバイス。
【請求項１２】
字消し流体タンクをさらに備える、請求項１に記載のデバイス。
【請求項１３】
レーザポインタをさらに備える、請求項１に記載のデバイス。
【請求項１４】
前記デバイスが字消し側を下にして表面に置かれると、前記１つ又は複数の筆記デバイスの前記少なくとも１つが傾斜した角度となる、請求項４に記載のデバイス。
【発明の詳細な説明】
【技術分野】
【０００１】
[0001]  この特許文献は著作権保護の目的物を含む。著作権所有者には、米国特許商標庁の出願におけるこの特許文献又は任意の関連する資料の複製に対する異議はないが、その他の点ではいかなるものであれ全ての著作権を保有する。
【０００２】
[0002]  本出願は、２０１８年５月１７日に出願された米国仮特許出願第６２／６７３、０１６号に対する優先権を主張し、この仮特許出願の内容全体はここに全ての目的で参照により本明細書に完全に組み込まれる。
【０００３】
[0003]  本発明は、ホワイトボード（パッシブ及び／又はアクティブ）との使用のための筆記及び字消しデバイスを含む、筆記及び字消しデバイス、システム並びに使用方法に関する。
【背景技術】
【０００４】
[0004]  本発明は、関連する「字消し」とともに「ボード」での筆記のために用いることができる「筆記」用具を保持するためのデバイスに関する。一実施形態において、本発明は、ホワイトボードに書くために一般的に使用されるタイプのドライイレースマーカのための保持器に関する。デバイスは、ドライイレースマーカ及び／又はドライイレースマーカを保持するための手段とともに、ドライイレースマーカのための字消しを含み、それにより、ユーザはデバイスを下に置くことなしに、効率的に、ホワイトボードに書く及び／又はホワイトボードから消すことができる。
【０００５】
[0005]  本発明の実施形態のいくつかは、本明細書においてそれぞれ「マーカ」及び「字消し」と呼ばれる、ドライイレースマーカ及び、ドライイレースマーカの字消しに関連するが、本発明はまた、従来のチョーク、チョーク字消し、及びチョークボード、並びに、関連するボード及び字消しを備えた電子筆記用具（例えばタッチペン）に関する。したがって、本発明における説明は主にドライイレースマーカに向けられるが、他のタイプの器具もまた本発明の範囲に含まれる。
【０００６】
[0006]  一般に知られているとおり、ホワイトボードは、書いたものがその後消され得るように非永続的マーカを使用して書くことができる光沢のある白色の面である。ホワイトボードはチョークボードに似ており、その理由はそれらは比較的大規模に迅速に書いたり消したりすることを可能にするからである。典型的なホワイトボードは、ポリエステル又はアクリルコーティングで覆われたラミネート加工されたボール紙又は鋼製ボードを含む。ほうろう加工されたホワイトボードを使用するより費用がかかる選択肢もあるが、それらはあまり人気が無い。１９９０年代半ば頃から、ホワイトボードは人気が高まっており、その理由はそれらが従来の色チョークより鮮やかな色の使用を可能にするとともに、また高コントラストの内容を提供するからである。
【０００７】
[0007]  概して、ホワイトボードは従来のチョークボードに比べてきれいにし易いとともに使用後にほとんど又は全く汚れを残さない。このことにより、教育及び職場環境、例えば学校の教室、オフィス、会議室におけるホワイトボードの人気が高まってきた。ホワイトボードに書くために、非永続的な乾拭きで消せる（「ドライイレース」）マーカが使用されてもよい。ホワイトボードマーカは、ホワイトボードの上層に、固まることも吸収されることもなく付着することにより容易に除去され得るインクを使用する。ホワイトボードのインクを拭き取るために任意の布又はスポンジが使用され得るが、ほとんどのホワイトボードには、概して個別の字消しが付いており、この字消しにはフェルト又は他のタイプの布がその下側に取り付けられたハンドルがあり、結果として、頻繁に消す動作をした後であってもユーザを疲労させない軽い字消しとなっている。それにも関わらず、従来のホワイトボード字消しはドライマーカとは別個の物品であり、そのため、ユーザは一般にマーカを下に置くか、又は代替的に、一方の手で消して他方の手で書いて、両手を使わねばならない。
【０００８】
[0008]  大学の教室において、特に、ホワイトボードを使用する講義では、しばしばホワイトボード上の利用可能な表面領域がメモでいっぱいになることがあり、その際既に書かれたホワイトボードスペースを再利用するために戻るときに、（書くことのできる新たな空間をあけるために）字消しを使用することと（新たに消された空間に書くために）ドライイレースマーカを使用することとを「上手くやりくりし」なければならない。講師は、字消しを取り上げるためにはマーカを下に置かなければならず、逆もまた同様であり、したがって、追加的な時間及び労力を費やす。加えて、字消しは必ずしも講師の近くにあるとは限らず、その場合彼／彼女はそれを取るために歩かなければならない。そして、そうしたいと思わない場合、彼／彼女はボードを消すために自身の手を使うことに頼る場合があり、そのために彼らの手はインクで汚れてしまう。
【０００９】
[0009]  追加的に、講師が筆記及び字消しのために両手を使うと決めた場合（例えば、一方の手でマーカを保持し、一方の手で字消しを保持する）、両手が塞がる場合があり、その結果、彼／彼女は自身の手を他の目的（例えば、本又はノートを保持する、レーザポインタを使用するなど）のために使用することができなくなり得る。
【発明の概要】
【００１０】
[0010]  したがって、一方の手でマーカ及び字消しが相前後して使用されることを可能にすることにより、ユーザの他方の手が他の行動を自由に行うことを可能にし、浪費される時間を制限し、ボードを消すために手を使用することを回避し、字消しが見つけられない場合にティッシュ又は他の材料を浪費することを制限することが可能であるデバイスが必要である。
【００１１】
[0011]  本発明の様々な他の目的、特徴及び結果として伴う利点は、それらが添付図面と併せて検討されたときにより良く理解されるようになると十分に認められるようになり、図面においては同様の参照符号は、複数の図にわたって、同じ又は同様の部分を指す。
【図面の簡単な説明】
【００１２】
【図１】この例示的実施形態による保持器の態様を示す。
【図２】この例示的実施形態による保持器の態様を示す。
【図３】この例示的実施形態による保持器の態様を示す。
【図４】この例示的実施形態による保持器の態様を示す。
【図５】この例示的実施形態による保持器の態様を示す。
【図６】この例示的実施形態による保持器の態様を示す。
【図７】この例示的実施形態による保持器の態様を示す。
【図８】この例示的実施形態による保持器の態様を示す。
【図９】この例示的実施形態による保持器の態様を示す。
【図１０】この例示的実施形態による保持器の態様を示す。
【図１１】この例示的実施形態による保持器の態様を示す。
【図１２】この例示的実施形態による保持器の態様を示す。
【図１３】この例示的実施形態による保持器の態様を示す。
【図１４】この例示的実施形態による保持器の態様を示す。
【図１５】この例示的実施形態による保持器の態様を示す。
【図１６】この例示的実施形態による保持器の態様を示す。
【図１７】この例示的実施形態による保持器の態様を示す。
【図１８】この例示的実施形態による保持器の態様を示す。
【図１９】この例示的実施形態による保持器の態様を示す。
【図２０】この例示的実施形態による保持器の態様を示す。
【図２１】この例示的実施形態による保持器の態様を示す。
【図２２】この例示的実施形態による保持器の態様を示す。
【図２３】この例示的実施形態による保持器の態様を示す。
【図２４】この例示的実施形態による保持器の態様を示す。
【図２５】この例示的実施形態による保持器の態様を示す。
【図２６】この例示的実施形態による保持器の態様を示す。
【図２７】この例示的実施形態による保持器の態様を示す。
【図２８】この例示的実施形態による保持器の態様を示す。
【図２９】この例示的実施形態による保持器の態様を示す。
【図３０】この例示的実施形態による保持器の態様を示す。
【図３１】この例示的実施形態による調整可能な保持器の態様を示す。
【図３２】この例示的実施形態による調整可能な保持器の態様を示す。
【図３３】この例示的実施形態による調整可能な保持器の態様を示す。
【図３４】この例示的実施形態による快適な把持部を備えた保持器の態様を示す。
【図３５】この例示的実施形態による保持器の態様を示す。
【図３６Ａ】この例示的実施形態による字消し材料の態様を示す。
【図３６Ｂ】この例示的実施形態による字消し材料の態様を示す。
【図３６Ｃ】この例示的実施形態による字消し材料の態様を示す。
【発明を実施するための形態】
【００１３】
[0017]  「機構」という用語は、本明細書で使用される場合、任意のデバイス、プロセス、サービス、又はその組合せを指す。機構は、特殊用途デバイスを使用して、ハードウェア、ソフトウェア、ファームウェアに、又はその組合せにおいて実装され得る。機構は機械的又は電気的又はその組合せであり得る。機構は単一のデバイスに一体化されてもよく、複数のデバイスにわたって分配されてもよい。機構の様々なコンポーネントは、同一場所に配置されても分配されてもよい。機構は他の機構から形成されてもよい。概して、本明細書で使用される場合、「機構」という用語は、したがって、デバイス及び／又はプロセス及び／又はサービスという用語の省略表現とみなされ得る。
【００１４】
[0018]  概して、本発明は、様々な付属品を単一のユニットに包含し得るデバイスを含み得る。一例において、付属品は、ホワイトボード付属品、例えばペン、マーカ、字消し及び／又は他の付属品を含み得る。本例において、１つ又は複数のマーカ及び／又は１つ又は複数の字消しは、単一のハンドヘルドユニットを形成するためにデバイスにより保持され得る。このようにして、デバイスのユーザは同じデバイスで書くとともに消し得る。別の例において、システムは、１つ若しくは複数のタッチペン及び／又は１つ若しくは複数の字消しを単一のユニットとして含み得る及び／又は保持し得る。別の例において、保持器は、チョークの１つ若しくは複数のスティック及び／又は１つ又は複数の字消しを単一のユニットとして含み得る及び／又は保持し得る。上述の例は例証のためのものであること、並びにデバイスは任意の数の異なる付属品及びその任意の組合せを含み得る及び／又は保持し得ることが理解される。システムの範囲は、それが含み得る及び／又は保持し得る付属品のタイプにも数にも決して限定されないことも理解される。
【００１５】
[0019]  この明細書の目的上、デバイスはホワイトボード付属品（例えばマーカ、タッチペン、字消しなど）を含む及び／又は保持するとして説明される。本説明におけるホワイトボードは、パッシブホワイトボード及び／又はアクティブホワイトボード（インタラクティブホワイトボード及び／又はモニターとも呼ばれる）を含み得る。他のタイプのボード（例えばチョークボード）及び／又は他のタイプのモニター（例えばタッチスクリーン）もまた含まれ得るとともに本発明の範囲内にあることが理解される。
【００１６】
[0020]  図１〜図４に示される例示的なこの一実施形態において、システム１は、図示のドライイレースマーカ保持器１０を含み得る。保持器１０は、本体１２であって、下又は「把持」部分１４と上又は「字消し」部分１６とを有する本体１２を含む。図示のとおり、把持部分１４は、保持要素１８、例えば内部空洞又は開口（例えば、シリンダ状の円筒形の開口又は他のタイプの開口、空洞又は保持要素）を含み、この保持要素１８の中に、ドライイレースマーカ２０が、その先（又は筆記）端部２２が下部分１４の一端（「先端部」とも呼ばれる）２６で開口２４から延出している状態で受け入れられるとともに保持される（図１はマーカ２０が開口１８内に保持されている状態を示す）。図示のとおり、開口１８は底部１１４の頂面で構成されてもよい。このようにして、保持器１０は上蓋式保持器１０であってもよい。しかしながら、開口１８は、保持器１０の任意の表面又は保持器１０の表面の任意の組合せで構成されてもよいことが理解される。図示のとおり、マーカ２０におけるインクが干上がることを防ぐために、マーカ２０が使用されていないときにキャップ２８が先端部２２を覆うように配置され得るように、マーカ２０の先端部２２は下部分１４の端部２６から十分遠くに延出する。
【００１７】
[0021]  ドライマーカ保持器１０は、好ましくは下部分１４の先端部２６に向かって本体１２に接合する上（又は「字消し」）部分１６を含む。図１〜図４に示されるとおり、ドライマーカ保持器１０の上部分１６は、ドライマーカ字消し３０を含む又は維持する。図示のとおり、上（又は字消し）部分１６は、字消し部分１６が本体の下部分１４に対して約２０〜約４５度の傾斜を有するように本体１２の下部分１４に（例えば、先端部２６に向かって）接合する。すなわち、上字消し部分１６の長手方向軸Ｆは、下部分１４の長手方向軸Ｇに対してオフセット角度βであり得る。これにより、筆記と字消しとの間での容易で人間工学的移行が可能となり得る（例えば、筆記と字消しとの間で移行するために手首をわずかに曲げるだけで良くなり得、逆もまた同様である）。他の量の傾斜もまた使用され得ることと、保持器１０の範囲は下部分１２と上部分１６との間の傾斜の量（角度）により限定されないこととに留意されたい。
【００１８】
[0022]  上の例において、説明されたとおりの下部分１４と字消し部分１６との間の人間工学的に傾斜した向きにより、ユーザは、保持器１０の下部分を保持して（キャップ２８を除去した後で）マーカ２０で書きながら、ホワイトボードに書くことができる。このとき、保持器１０を下に置くことなしに、ユーザは、字消し３０を使用してホワイトボードから既存のマークを消すために、単純に彼／彼女の手首又は腕を回すことができる。図４を参照すると、固定器具３２が、保持器１０が使用されていないときに保持器１０を維持するために使用され得る。
【００１９】
[0023]  加えて、使用中でないときは、保持器１０は、その上字消し部分１６に載り得るように平面の上に逆さまに配置され得る。このようにして、下部分１４（これは、この向きにある間は上部分１６より上に位置付けられ得る）は、下部分１４内に保持され得るマーカ２０もまた下向きに傾斜し得るように、下向きに傾斜し得る。それにより、マーカ２０の先端２２は、マーカ内のインクが重力を原因として下向きに引かれるように、マーカの本体に対してより低い高さにあり得ることに留意されたい。このようにして、マーカ２０及びその中のインクは、保管されている間準備万端ですぐに使用できる構成のままであり得る。これは、典型的になされ得るように使用中でないときにマーカを逆さまに支える必要を無くすことができる。
【００２０】
[0024]  好ましい一実装形態において、保持器１０はプラスチック、金属、他のタイプの材料及びその任意の組合せで形成され得る。加えて、字消し３０は、限定するものではないが、接着剤、ねじ、ホッチキス、クリップ、ラッチ、磁石又は他の任意のタイプの取付け手段を含む、任意のタイプの取付け方法又は機構により保持器に（例えば上部分１６に）取り付けられ得る。字消し３０はまた、ファスナー、例えばフックアンドループファスナー（図示せず）、スナップ、磁石又は他のタイプの取付け機構を使用して、保持器１０に取り外し可能に取り付けられ得る。字消し３０は、発泡体、フェルト材料、又はホワイトボードからマーカインクを消すのに好適な他の任意の材料ででき得る。同様に図１〜図４において示されたとおり、保持器１０は好ましくは、ユーザがホワイトボードに書いている間保持することが快適なものになるような断面形状を有する（例えば、下部分１４は一般に丸い又は円形の断面又は保持領域を含み得る）。
【００２１】
[0025]  図１Ａ及び図１Ｂに示される別のこの例示的実施形態において、保持器１０は、本体１２、マーカ２０が挿入及び保持され得る下部分空洞又は開口１８を備えた下部分１４、並びにマーカ２０が挿入及び保持され得る上部分空洞又は開口３４を備えた上部分１６を含み得る。このようにして、保持器１０は、マーカ２０を受け得るとともに保持し得る少なくとも２つの開口又は空洞１８、３４を含み得る。図１Ａは、下部分１４の空洞１８において受け入れられるとともに保持されたマーカ２０を示し、図１Ｂは上部分１６の空洞３４において受け入れられるとともに保持されたマーカ２０を示す。上部分１６はまた、上述のとおり字消し３０で構成されてもよい。
【００２２】
[0026]  マーカ２０は、圧入、戻り止め、タブ、ラッチ又は他のタイプの取付け機構及び／又は方法、並びにその任意の組合せにより、下部分空洞１８及び／又は上部分空洞３４において保持され得る。
【００２３】
[0027]  例示的なこの一実施形態において、マーカ２０が上部分空洞３４と共に構成され得るとき、保持器１０のユーザは、マーカ２０で書くために保持器の下部分１４を把持することができる。このようにして、マーカ２０が上空洞３４に入った状態で、マーカ２０の長手方向軸Ａは、図示のとおり下部分１４の長手方向軸Ｂに対して傾斜角θとなり得る。したがって、ユーザは略垂直のホワイトボード上に書くためにマーカ２０を使用し得る際に、マーカ２０は、保持器１０により逆さにされた位置において保持され得る。すなわち、マーカの先端２２はホワイトボードの表面と接触することができ、マーカの本体３６は上向きに傾斜するとともに上向きに延在する。このようにして、マーカの先端２２が乾いてしまうことなしにユーザがマーカ２０で連続的に書くことができるように、マーカ２０内のインクは下向きに（例えば重力を原因として）マーカの先端２２へ流れ続けることができる。
【００２４】
[0028]  ユーザは下部分１４又は上部分１６においてマーカ２０を望むように構成し得ることに留意されたい。例えば、ユーザは、マーカ２０が下部分１４にあるように構成された保持器１０を使用し始めることができる。このとき、（例えば、マーカ２０が傾斜した向きになり得ないこと、及びマーカ２０内のインクがマーカ２０の先端２２に向かって下向きに流れ得ないことを原因として）マーカ２０の先端２２が乾燥し始めた場合、ユーザは下部分１４からマーカ２０を取り出し得るとともに、マーカ２０を上部分１６に挿入し得る。この構成において、ユーザはホワイトボードに書くために保持器１０を（例えば保持器１０の下部分１４を把持することにより）使用する際にマーカ２０はある傾斜角で構成され得、それによりマーカ２０内のインクが重力を原因としてマーカ２０の先端２２へ流れることを円滑にする。
【００２５】
[0029]  保持器１０はまた、マーカ２０が使用中であり得る間にマーカ２０のキャップ２８を保持し得るマーカキャップ保持器３８を含み得る。好ましい一実装形態において、マーカキャップ保持器３８は、マーカ２０の先端２２が貫通し得る保持器１０の端部の長手方向反対側にある保持器１０の端部に位置付けられてもよい。マーカキャップ保持器３８は、キャップ２８の一端がマーカキャップ２８がスナップ方式で留まり得るタブへ圧入し得る開口若しくは穴、又はキャップ２８を保持器１０に固定し得る他の任意の取付け機構を含み得る。
【００２６】
[0030]  例示的なこの一実施形態において、保持器１０は、１つのマーカ２０を、下部分空洞１８又は上部分空洞３４のいずれかにおいて受け得るとともに保持し得る。別のこの例示的実施形態において、保持器１０は、２つのマーカ２０を受け得るとともに保持することができ、一方のマーカが下部分空洞１８に受け入れられるとともに保持され、第２のマーカが上部分空洞３４受け入れられるとともに保持される。このシナリオにおいて、上部分空洞３４及び／又は下部分空洞１８は、第１及び第２のマーカ２０が保持器１０と共に構成されつつ互いを遮り得ないように十分な長さ及び／又は容積を含み得る。加えて、説明されたとおり、２つのマーカ２０が保持器１０により保持された状態で、第１マーカ２０の先端２２又は第２のマーカ２０の先端２２のいずれかが、書くために使用される穴２４を貫通するように選択され得る。穴２４を貫通するように選択され得ないマーカ２０は、穴２４を貫通し得るマーカ２０を遮り得ない位置に保持され得る（例えば、穴２４を貫通しないマーカは、保持器２６の端部２６よりわずか後ろに位置付けられ得る）。
【００２７】
[0031]  保持器１０は任意の数の及び／又はタイプのマーカ２０を受けるとともに保持するように構成され得ること、並びに保持器１０の範囲はどんなときにもそれが受け得るとともに保持し得るマーカ２０の数又はタイプにより限定されないことが、この明細書を読むと当業者により理解される。
【００２８】
[0032]  図５〜図７に示される別の例示的実施形態において、本発明のドライイレースマーカ保持器１００は、下部分１１４と上部分１１６とを有する本体１１２を含み得る。ドライマーカ保持器１００の上部分１１６は、ドライマーカ字消し１３０を含むことができ、下部分１１４は、ドライイレースマーカ１２０であって、その先端１２２が下部分１１４の端部１２６で開口１２４を貫通し得るドライイレースマーカ１２０を受け得るとともに維持し得る。下部分１１４はまた、開口１１８（例えば、シリンダ状の円筒形の開口又は他の形の開口）であって、ドライイレースマーカ１２０が受け入れられ得る、嵌合され得る、及び維持され得る開口１１８を含み得る。開口１８は好ましくは保持器１００の下部分１１４の上面で構成され得る。このようにして、保持器１００は上蓋式保持器であり得る。しかしながら、開口１１８は、保持器１００の任意の表面又は表面の組合せで構成され得ることが理解される。
【００２９】
[0033]  図８〜図１０に示される別のこの例示的実施形態において、ドライイレースマーカ保持器２００は、下部分２１４と上部分２１６とを有する本体２１２を含み得る。ドライマーカ保持器２００の上部分２１６はドライマーカ字消し２３０を含んでもよく、下部分２１６は、ドライイレースマーカ２２０であって、その先端２２２が下部分２１４の端部２２６の開口２２４を貫通し得るドライイレースマーカ２２０を受け得るとともに維持し得る。保持器２００は、開口２１８（例えば、シリンダ状の円筒形のもの）であって、その中にドライイレースマーカ２２０が受け入れられ得る、嵌合され得る、及び維持され得る開口２１８を含み得る。この実施形態において、開口２１８は図１０に示されるとおり下部分２１４の下側から接近可能であってもよい。このようにして、保持器２００はボトムローディング保持器であり得る。
【００３０】
[0034]  ここで図１１〜図１３及び図１４〜図１６を見ると、保持器３００、４００の代替的実施形態が、それぞれ、本発明が設計及び作成され得る追加的な方法を説明するために示されている。例えば、保持器３００における字消しのサイズ及び形状は、先行技術の実施形態の字消しに比べて狭くてもよい。
【００３１】
[0035]  図１７〜図２０に示される別のこの例示的実施形態において、保持器５００は、本体５１２、下部分５１４、及び上部分５１６を含み得る。マーカ５２０が下部分５１４において形成された空洞又は開口５１８（例えば、シリンダ状の開口）に収納されてもよく、マーカ５２０は下部分５１４の端部５２６に形成された開口５２４を通じて開口５１８に挿入されてもよい。図は保持器５００の前端５２６で構成された開口５２４を示しているが、開口５２４はまた保持器５００の後端５２８で構成されてもよいことに留意されたい。他の実施形態と同様に、上部分５１６は字消し５３０を保ち得る。
【００３２】
[0036]  図２１〜図２３に示される別のこの例示的実施形態において、保持器６００が、本体６１２、下部分６１４、及び上部分６１６を含み得る。上部分６１６は、マーカ６２０を受け得るとともに保持し得る上部分空洞又は開口６１８を含み得る。下部分６１４は、保持部分６３２を含んでもよく、この保持部分６３２の長手方向軸Ｃは上部分空洞６１８において保持され得るマーカ６２０の長手方向軸Ｄに対して角度Φで構成され得る。このようにして、ユーザが保持器６００の保持部分６３２を保持し得るとともにマーカ６２０を使用して略垂直のホワイトボード上に書き得る際、マーカ６２０は保持器６００により逆さにされた位置で保持され得る。すなわち、マーカの先端６２２はホワイトボードの表面と接触することができ、マーカの本体６３４は上向きに傾斜し得るとともに上向きに延在し得る。このようにして、マーカの先端６２２が乾いてしまわずにユーザがマーカ６２０で連続的に書くことができるように、マーカ６２０内のインクはマーカの先端６２２へと（例えば、重力を原因として）下向きに流れ続けることができる。
【００３３】
[0037]  図２４〜図２６に示される別のこの例示的実施形態において、保持器７００が、本体７１２、下部分７１４、及び上部分７１６を含み得る。下部分７１４は、マーカ７２０の円周の少なくとも一部を大まかに受ける、把持する及び固定することができる把持部分７５０を含み得る。把持部分７５０の少なくとも一部は、圧入、戻り止め、タブ、バンド、他の取付け機構及びその任意の組合せによりマーカ７２０の円周の少なくとも一部を受け得るとともに保持し得る部分（例えばチャネル）を含み得る。このようにして、マーカ７２０は把持部分７５０により動かないように保持され得る。把持７５０の少なくとも一部は、マーカ７２０の円周の一部の周り、及び／又はマーカ７２０の円周の全体の周りに延在し得る。把持部分の少なくとも一部がマーカ７２０の円周の全体の周りに延在し得る場合、これは、図１〜図４を参照して他のセクションにおいて説明された内部空洞又は開口１８（例えば、シリンダ状の空洞）を備えた下部分１４に似ていてもよい。
【００３４】
[0038]  図示のとおり、把持部分７５０は、１つ又は複数の支持アーム７１８（例えば、図示のとおり１つの支持アーム７１８）により上部分７１６に取り付けられ得る。上部分７１６は字消し７３０を固定及び保持し得る。この実施形態において、保持器７００のユーザは、書くためにペン７２０及び／又は把持部分７５０を把持することにより保持器７００を把持することができ、彼／彼女の手首及び／又は腕を回転させることにより、消すために字消し７３０を使用することができる。
【００３５】
[0039]  図２７〜図３０に示される別のこの例示的実施形態において、保持器８００が、本体８１２、下部分８１４、及び上部分８１６を含み得る。下部分８１４は、把持部分８５０であって、マーカ８２０の円周の少なくとも一部を大まかに受け、把持し、固定することができる把持部分８５０を含み得る。把持部分８５０は、圧入、戻り止め、タブ、バンド、他の取付け機構及びその任意の組合せによりマーカ８２０の円周の少なくとも一部を受け得るとともに保持し得る部分（例えばチャネル）を含み得る。このようにして、マーカ８２０は把持部分８５０により動かないように固定され得る。図示のとおり、把持部分８５０は、１つ又は複数の支持アーム８１８（例えば、図示のとおり２つの支持アーム８１８）により上部分８１６に取り付けられ得る。上部分８１６は字消し８３０を固定及び保持し得る。この実施形態において、保持器８００のユーザは、書くためにペン８２０及び／又は把持部分８５０を把持することにより保持器８００を把持することができ、彼／彼女の手首及び／又は腕を回転させることにより、消すために字消し８３０を使用し得る。
【００３６】
[0040]  図３１〜図３４に示される別のこの例示的実施形態において、保持器９００、１０００、１１００はそれぞれ、上部分９１４、１０１４、１１１４が下部分９１６、１０１６、１１１６に対してそれぞれ回転することを可能にし得る回転要素９６０、１０６０、１１６０を各々含み得る。このようにして、ユーザは上部分９１４、１０１４、１１１４と下部分９１６、１０１６、１１１６との間の相対的角度をそれぞれ調整し得る。角度調整は、各ユーザが、デバイスの最も快適な使用並びに使用中でないときのデバイスの格納のため又は移動のためのコンパクトさのために角度を設定し得るように、人間工学的恩恵を提供し得る。
【００３７】
[0041]  図３１に示されるこのタイプの例示的一実施形態において、保持器９００は、枢動要素９６０（例えばヒンジ）、テール９６２（例えばアーク形状のテール）、及び枢動要素９６０を固定された設定に係止又は他の方法で締めることができる調整部材９６４（例えば、ノブ、蝶ねじ、ナット、ボルトなど）を含み得る。テール９６２は図示のとおり上部分９１４から下部分９１６へ延在し得る。テール９６２は上部分９１４に固定され得るとともに、下部分９１６におけるスロット、穴又はチャネルを通じて下部分９１６に係合し得、又は反対に、テール９６２は下部分９１６に固定され得るとともに、上部分９１６におけるスロット、穴又はチャネルを通じて上部分９１４に係合し得る。下部分９１６及び／又は上部分９１４に係合するとき、テール９６２は、摩擦、ラチェット、刻み目、圧入、又はテール９６２をスロット、穴又はチャネル内に大まかに保持し得る他の方法を介してスロット、穴又はチャネルに係合し得る。
【００３８】
[0042]  加えて、調整部材９６４は枢動要素９６０と共に構成されてもよいとともに、枢動要素９６０を締める及び／又は緩めるために（例えば回転させることにより）セットされてもよい。したがって、調整部材９６４は、枢動要素９６０を（例えば、ノブ９６４を緩めることにより）回転可能にするように設定され得る、又は調整部材９６４は、枢動要素９６０が回転するのを（例えば、ノブ９６４を締めることにより）係止又は他の方法で少なくともいくぶん妨げるように設定され得る。したがって、保持器９００の使用は調整部材９６４を緩めることができるとともに、上及び下部分９１４、９１６の間の望ましい角度を設定するために、下部分９１６を上部分９１４に対して枢動要素９６０の周りで枢動させることができる。いったん望ましい角度に設定されると、調整部材９６４は枢動要素９６０及び上及び下部分９１４、９１６を適所に係止するために締められ得る。保持器９００のユーザが、保持器９００を保管又は（例えば運搬ケースにおける保管のために）より小さくよりコンパクトになるように他の方法で構成することを望み得る場合、ユーザは調整要素９６４を緩め得るとともに上部分９１４及び下部分９１６を一緒に潰し得る。
【００３９】
[0043]  図３２に示されるこのタイプの別の例示的実施形態において、保持器１０００は枢動要素１０６０とラチェット要素１０７０とを含み得る。保持器１０００はまた、必要に応じて枢動要素１０６０と共に構成された調整デバイス１０６４を含み得る。この実施形態は図３１において示された実施形態と同様であってもよいが、ラチェット要素１０７０がテール要素９６２に取って代わる。ラチェット要素１０７０は、角度が付いている歯のセットをその長さに沿って含み得るバー要素１０７２と、バー１０７２上の角度が付いている歯と係合し得るつめ又は歯要素１０７４とを含み得る。バー要素１０７２は上部分１０１４に固定され得るとともに、下部分１０１６で構成され得る歯要素１０７４まで延在することができ、又は反対に、バー要素１０７２は下部分１０１６に固定され得るとともに、上セクション１０１４において構成され得る歯要素１０７４まで延在し得る。
【００４０】
[0044]  使用中、バー要素１０７２の自由端は、上部分１０１４と下部分１０１６との間に望ましい角度を設定する距離まで歯要素１０７４に挿入され得る。この挿入中、歯要素１０７４は、バー１０７２上の各一連の歯に係合しつつバー１０７２の長さに沿って徐々に動き得る。いったん望ましい角度が設定されると、歯１０７４はバー１０７２を適所に保持し得る。枢動要素１０６０を必要に応じて係止するために調整要素１０６４を締めることもまた好ましい場合がある。バー１０７２を歯１０７４から係合解除するために、バー１０７２は歯１０７４がバー１０７２上の歯を解放することができるまで歯１０７４に圧力をかけ得る。この設定はまた、上部分１０１６及び下部分１０１４を一緒に潰してコンパクトな状態にし得る。部分１０１４、１０１６の間の角度を設定するために、バー要素１０７２は歯要素１０７４から除去されてもよく、このプロセスは繰り返され得る。
【００４１】
[0045]  図３３に示される別のこの例示的実施形態において、保持器１１００は、上部分１１１４、下部分１１１６、枢動要素１１６０及び調整部材１１６４を含み得る。この実施形態において、上及び下部分１１１４、１１１６の間の角度は、調整部材１０６４の使用を通じて設定及び係止され得る。この実施形態において、保持器１１００はテール又はラチェット機構を含まなくてもよく、代わりに、上及び下部分１１１４、１１１６を一緒に望ましい角度で保持するために枢動要素１１６０に依存してもよい。
【００４２】
[0046]  図３１〜図３３の上で説明された実施形態の全てにおいて、上部分９１４、１０１４、１１１４及び／又は下部分９１６、１０１６、１１１６はそれぞれ、本明細書において説明された他の例示的実施形態に関連して説明された１つ又は複数の字消し要素及び／又は１つ又は複数のマーカ区画を含み得る。
【００４３】
[0047]  図３４に示される別のこの例示的実施形態において、保持器２００は図示のとおり「快適な把持部」２８０を含み得る。快適な把持部２８０は、ゴム、シリコン、発泡体又は他の任意の、好ましくはやわらかい、材料又は材料の組合せの層を含み得る。快適な把持部２８０は必要に応じて、下部分２１６（例えば把持部分）及び／又は上部分２１６を概ね包含し得る。快適な把持部２８０は、使用中にユーザにより把持され得る保持器２００に快適な表面を提供し得る。
【００４４】
[0048]  図３５に示される別のこの例示的実施形態において、保持器１２００は、本体１２１２、下部分１２１４、上部分１２１６及び、タッチペン先端１２２２を含み得るタッチペン１２２０を含み得る。当該技術分野において既知のとおり、電子タッチスクリーンディスプレイ及び／又はモニター上に、インタラクティブホワイトボード、他のタイプのタッチセンサー式デバイス（例えば、アクティブマウスパッド）及びその任意の組合せ上に書くためにタッチペン１２２０が使用されてもよい。
【００４５】
[0049]  タッチペン１２２０は下部分１２１４（又は該当する場合には上部分１２１６）に単一のユニットとして一体化されてもよい（例えば下部分１２１４と一緒に製造されてもよい）、又は下部分１２１４から取り外し可能及び／又は交換可能であってもよい。タッチペン１２２０が取り外し可能及び／又は交換可能である場合、保持器１２００は、マーカ２０、１２０、２２０、５２０、６２０、７２０、８２０が保持器１０、１００、２００、５００、６００、７００、８００と共にそれぞれどのように構成され得るかに関して他の実施形態において説明された態様の任意のもの及び／又は全てを含んでもよく、態様はここでは保持器１２００及びタッチペン１２２０に関連しているとともに当てはめられる。
【００４６】
[0050]  タッチペン１２２０はパッシブ及び／又はアクティブであってもよく、アクティブである場合、保持器１２００及び／又はタッチペン１２２０は、電源（例えば充電式及び／又は取り替え可能なバッテリ）を含み得る。
【００４７】
[0051]  タッチペン１２２０はまた、保持器１２００に位置する１つ又は複数の制御デバイス１２８０、１２８２（例えばボタン、ノブ、ダイアルなど）により制御され得る追加的な電子的機能を含み得る。例えば、ホワイトボードと使用される際、タッチペン１２２０は、ホワイトボード（好ましくはインタラクティブホワイトボード）と相互作用するために起動され得るホワイトボード上のカーソルを提供し得る。カーソルは、タッチペン１２００の先端１２２２がホワイトボードの表面と接触し得るとき又はそうでないとき（例えば、タッチペン１２２０は、他の手段、例えば赤外線、Wi-Fi、Bluetooth又は他の通信プロトコル及び技術によりホワイトボードと通信し得る）に形成され得る。
【００４８】
[0052]  一例において、タッチペン１２２０は、ホワイトボード上の要素（例えば、テキスト、アプリケーションアイコン、ダイアログボタン、ドロップダウンメニューなど）を選択するか起動させるために使用され得る。好ましい一実装形態において、起動は、保持器１２００上の１つ又は複数のボタン１２８０及び／又はダイアル１２８２の使用を通じて引き起こされ得る。ボタン１２８０及び／又はダイアル１２８２は、インタラクティブ機能、例えばマウスの左クリック、マウスの右クリック、スクロール、ハイライト、メニューを開く、選択をする、他のタイプのインタラクティブ機能及びこれらの任意の組合せを実施するために使用され得る。
【００４９】
[0053]  別の例において、ボタン１２８０及び／又はダイアル１２８２は、タッチペン１２２０のアスペクト、例えば先端サイズ、先端タイプ（例えばライター、字消しなど）、ホワイトボード上に形成されるカーソルのタイプ、字消しタイプ、タッチペンの他の態様及びこれらの任意の組合せを調整するために使用され得る。
【００５０】
[0054]  図３５に示される別のこの例示的実施形態において、保持器１２００は、本体１２１２、下部分１２１４及び上部分１２１６を含んでもよく、上部分は、字消し要素１２３０−１、１２３０−２、．．．１２３０−ｎ（集合的に及び別個に１２３０）を含み得る。字消し要素１２３０は互いから個々に異なってもよく、連続的な要素として一緒に形成されてもよく、その任意の組合せであってもよい。加えて、字消し要素１２３０は、互いに及び保持器１２００に対して、同じ又は異なる位置及び／又は向きに位置付けられ得る。例えば、図３５に示されるとおり、字消し要素１２３０−１は、字消し要素１２３０−２の向きに比べて保持器１２００に対して異なる角度で方向付けられ得る。加えて、字消し要素１２３０−１は上部分１２１６の前に向かって位置することができ、字消し要素１２３０−２は上部分１２１６の後ろに向かって位置することができる。異なる字消し要素１２３０が保持器１２００の任意の位置に任意の向きで位置付けられてもよいこと、及び異なる字消し要素１２３０の位置及び／又は向きは合致する必要はないことは明らかである。
【００５１】
[0055]  加えて、各字消し要素１２３０の形状及びサイズは、他の字消し要素１２３０と同じ、同様又は異なり得る。例えば、図３５に示されるとおり、字消し要素１２３０−２は字消し要素１２３０−１に比べてより幅広い表面積を有してもよく、字消し要素１２３０−１はより狭いプロファイルを有してもよい。
【００５２】
[0056]  各字消し要素１２３０の異なるサイズ及び形状、並びに異なる位置及び向きは、各字消し１２３０についての異なる恩恵及び使用を提供することができる。例えば、字消し要素１２３０−２のより幅広い表面積は、それが大規模な字消し（字消しの精度が決定的に重要でなくてよい場合）のために使用されることを可能にする。加えて、字消し要素１２３０−１のより狭いプロファイルはより正確で厳密な字消しのためにそれが使用されることを可能にし得る。
【００５３】
[0057]  追加的に、異なる字消し要素１２３０の向きの角度は各要素１２３０の使用のための恩恵を提供し得る。例えば、字消し要素１２３０−２の角度が低いほど大規模な字消しを提供するためにより人間工学的であり得、一方で字消し要素１２３０−１の角度が鋭いほどより正確で厳密な字消しを提供するために人間工学的であり得る。
【００５４】
[0058]  任意の数の字消し要素１２３０には、保持器１２００が設けられ得ること、及び字消し要素１２３０は任意の位置に、互いに及び保持器１２００に対して任意の角度で位置し得ることが、この明細書を読むと当業者により理解される。字消し要素１２３０は任意の形状及び／又はサイズのものであってもよく、形状及び／又はサイズの任意の組合せのものであってもよいことも理解される。保持器１２００の範囲はそれが含み得る字消し要素１２３０の数によっても字消し要素１２３０の任意のもののサイズ、形状、位置及び／又は向きによっても決して限定されないことも理解される。
【００５５】
[0059]  別のこの例示的実施形態において、字消し要素１２３０は１つ又は複数の異なるタイプの字消し要素１２３０を含み得る。例えば、図３６に示されるとおり、字消し要素１２３０は、第１字消し要素１２３０Ａ、第２字消し要素１２３０Ｂ及び第３字消し要素１２３０Ｃを含み得る。例示的なこの一実施形態において、字消し要素１２３０は、異なるタイプの字消し材料（例えばフェルト、発泡体など）及び／又は異なる特徴（例えば手触り、固さなど）を含み得る。例えば、第１字消し要素１２３０Ａは、やわらかいフェルト材料を含み得る第１材料を含んでもよく、第２字消し要素１２３０Ｂは、固いフェルト材料を含み得る第２材料を含んでもよく、第３字消し要素１２３０Ｃは、中くらいの固さの発泡体材料を含み得る材料を含んでもよい。本例において、中間セクション字消し１２３０Ｂは追加的な力を必要とし得るひどいインクマークを消すために使用されてもよく、一方で第１及び／又は第３字消し要素１２３０Ａ、１２３０Ｂは、取り除くのにさほど力を必要としないより軽いインクマークのために使用されてもよい。別の例において、例えばより固い中間セクション字消し１２３０Ｂは、ホワイトボードからインクを取り除くことができるが、インクがボードから除去されてしまうと、インク粒子を捕捉も吸収もできない場合がある。この場合、左及び／又は右の字消しセクション１２８０Ａ、１２８０Ｃはこのときインク粒子を捕捉及び吸収するのに十分やわらかくてよく、したがって、それらをボードから完全に取り除く。
【００５６】
[0060]  別のこの例示的実施形態において、異なる字消し要素１２３０Ａ、１２３０Ｂ、１２３０Ｃは同じ表面レベルであってもよく（図３５Ａの切断線Ｅ−Ｅの視点から見た図３５Ｂに示されるとおり）又は、異なる表面レベルで構成されてもよい（図３５Ａの切断線Ｅ−Ｅの視点から見た図３５Ｃに示されるとおり）。異なるレベルは、字消し１２３０によりホワイトボードにかけられ得る力の量に影響を及ぼし得る（例えば、中心セクションの字消し要素１２３０Ｂは、左及び右側セクションの字消し要素１２３０Ａ、１２３０Ｃに比べてホワイトボードの表面により大きい圧力をかけ得る）。
【００５７】
[0061]  上記の例は例証のためのものであること、並びに、字消し１２３０は任意の数の異なる字消し要素１２３０Ａ、１２３０Ｂ、．．．１２３０Ｎを含むことができ、この任意の数の異なる字消し要素１２３０Ａ、１２３０Ｂ、．．．１２３０Ｎは、任意の数の材料の任意のタイプ又はタイプの組合せを含み得、互いに対して及び保持器１２００に対して任意の位置及び／又は任意の向きにおいて構成され得る互いに対して同じ又は異なる表面レベルで構成され得ることが当業者により理解される。保持器１２００の範囲は、保持器１２００が含み得る字消し要素１２３０の数、材料、向き、位置又は表面レベルによって決して限定されないことも理解される。
【００５８】
[0062]  本明細書において又は他の方法で説明された実施形態の任意のものにおいて、字消し要素３０、１３０、２３０、５３０、６３０、７３０、８３０、９３０、１０３０、１１３０、１２３０は、それぞれ、保持器１０、１００、２００、５００、６００、７００、８００、９００、１０００、１１００、１２００に取り外し可能に取り付けられ得る。すなわち、字消し要素３０、１３０、２３０、５３０、６３０、７３０、８３０、９３０、１０３０、１１３０、１２３０は、字消し要素３０、１３０、２３０、５３０、６３０、７３０、８３０、９３０、１０３０、１１３０、１２３０をそれらのそれぞれの保持器１０、１００、２００、５００、６００、７００、８００、９００、１０００、１１００、１２００から係合解除することにより除去され得、字消し要素３０、１３０、２３０、５３０、６３０、７３０、８３０、９３０、１０３０、１１３０、１２３０をそれらのそれぞれの保持器１０、１００、２００、５００、６００、７００、８００、９００、１０００、１１００、１２００に係合することにより交換され得る。
【００５９】
[0063]  字消し要素３０、１３０、２３０、５３０、６３０、７３０、８３０、９３０、１０３０、１１３０、１２３０は、フックアンドループ材料、スナップ、取り外し可能な接着剤（例えば、剥離紙を剥がして貼るタイプ（ｐｅｅｌ  ａｎｄ  ｓｔｉｃｋ））、磁石、クリップ、ラッチ、スライド、他の任意のタイプの取付け機構及びその任意の組合せを使用して、それらのそれぞれの保持器１０、１００、２００、５００、６００、７００、８００、９００、１０００、１１００、１２００に取り外し可能に固定され得る。このようにして、字消し要素３０、１３０、２３０、５３０、６３０、７３０、８３０、９３０、１０３０、１１３０、１２３０は、それらが擦り切れることがある、汚れることがある、又はそうでなければ交換の必要がでてきた場合に交換され得る。
【００６０】
[0064]  図３４に示されるこの好ましい一実装形態において、保持器２００は、フックアンドループファスナー２８２、２８４をそれぞれ含むことができ、フックアンドループファスナー２８２、２８４は、概して、字消し要素２３０を適所に固定するために字消し２３０と上部分２１４との間に構成され得る。このようにして、字消し２３０は望ましいときに容易に除去及び交換され得る。
【００６１】
[0065]  本明細書において又は他の方法で説明された実施形態の任意のものにおいて、保持器は１つ又は複数のレーザポインタを含み得る。
【００６２】
[0066]  本明細書において又は他の方法で説明された実施形態の任意のものにおいて、保持器は、使用していないときに保持器をホワイトボードに固定し得る１つ又は複数の磁石（又は他のタイプの取付け機構）を含み得る。
【００６３】
[0067]  本明細書において又は他の方法で説明された実施形態の任意のものにおいて、保持器は、字消し流体を含み得る容器（内部、外部又はその任意の組合せ）を含み得る。容器は、マーカインクを消すのを円滑にするために所定の量の字消し流体を保持器の字消し及び／又はホワイトボードへ放出し得る、好ましくはボタンにより起動される解放機構を含み得る。
【００６４】
[0068]  本明細書において又は他の方法で説明された実施形態の任意のものにおいて、保持器は、限定するものではないが、標準的なサイズのマーカ、スリムサイズのマーカ、小さいマーカ、大きいマーカ、中くらいのサイズのマーカ、任意のタイプのマーカ及びその任意の組合せを含む任意のタイプのマーカと共に構成され得る。
【００６５】
[0069]  本明細書において説明された実施形態の任意のものとの関連において説明された任意の態様は、説明された実施形態の他の任意のものにも適用され得るとともに関連し得ることが理解される。
【００６６】
[0070]  当業者は、この説明を読めば、この実施形態が異なる及び／又は他の利点を提供し得ること、並びに全ての実施形態又は実装形態が全ての利点を有する必要は無いということを認めるとともに理解する。
【００６７】
[0071]  加えて、当業者は、上述又は下記の方法及び／又は一連のステップとして特許請求されるとともに説明された方法はいずれも、ステップの順序という意味において限定を目的とするものではないことを理解する。
【００６８】
[0072]  プロセスが本明細書において説明された場合、当該プロセスはユーザの介入なしに機能し得ることを当業者は認めることになる。別の実施形態において、プロセスはいくつかの人間の介入を含む（例えば、あるステップは人間により、又は人間の支援を伴って実施される）。
【００６９】
[0073]  特許請求の範囲を含む本明細書で使用される場合、「少なくともいくつかの」という表現は「１つ又は複数の」を意味するとともに１つのみの場合を含む。したがって、例えば、「少なくともいくつかのＡＢＣ」という表現は「１つ又は複数のＡＢＣ」を意味するとともに１つのみのＡＢＣの場合を含む。
【００７０】
[0074]  特許請求の範囲を含む本明細書で使用される場合、「少なくとも１つの」という用語は「１つ又は複数の」を意味するとして理解されるべきであり、したがって、１つ又は複数のコンポーネントを含む両実施形態を含む。さらに、「少なくとも１つの」が付された特徴を説明する独立請求項に言及する従属請求項は、その特徴が「前記(The)」として言及される場合も「前記少なくとも１つ」として言及される場合も両方とも同じ意味を有する。
【００７１】
[0075]  この説明において使用される場合、「部分」という用語は一部又は全てを意味する。したがって、例えば、「Ｘの一部」は、「Ｘ」の一部又は「Ｘ」の全てを含み得る。やりとりとの関連において、「部分」という用語はやりとりの一部又は全てを意味する。
【００７２】
[0076]  特許請求の範囲を含む本明細書で使用される場合、「使用して」という表現は、「少なくとも〜を使用して」を意味するとともに、排他的ではない。したがって、例えば、「Ｘを使用して」という表現は、「少なくともＸを使用して」を意味する。「のみ」という言葉の使用により具体的に述べられていない限り、「Ｘを使用して」という表現は「Ｘのみを使用して」という意味ではない。
【００７３】
[0077]  特許請求の範囲を含む本明細書で使用される場合、「に基づき」という表現は、「に部分的に基づき」又は「に少なくとも部分的に基づき」を意味するとともに排他的ではない。したがって、例えば「因子Ｘに基づき」は、「因子Ｘに部分的に基づき」又は「因子Ｘに少なくとも部分的に基づき」を意味する。「のみ」という言葉の使用により具体的に述べられていない限り、「Ｘに基づき」という表現は「Ｘのみに基づき」を意味しない。
【００７４】
[0078]  概して、特許請求の範囲を含む本明細書で使用される場合、「のみ」という言葉が表現において具体的に使用されない限り、そのような表現の意味に読み取られるべきではない。
【００７５】
[0079]  特許請求の範囲を含む本明細書で使用される場合、「異なる」という表現は、「少なくとも部分的に異なる」を意味する。具体的に述べられていない限り、異なるとは完全に異なることを意味しない。したがって、例えば、「ＸはＹと異なる」という表現は、「Ｘは少なくとも部分的にＹと異なる」ことを意味するとともに、「ＸはＹとは完全に異なる」ことを意味するものではない。したがって、特許請求の範囲を含む本明細書で使用される場合、「ＸはＹと異なる」という表現は、ＸはＹと少なくとも何らかの方法で異なることを意味する。
【００７６】
[0080]  「第１」、「第２」などの言葉は、説明及び特許請求の範囲において、区別又は特定するために使用され、連続的又は数値的限界を示すためのものではないことが理解されるべきである。同様に、文字ラベル（例えば「（Ａ）」、「（Ｂ）」、「（Ｃ）」など、又は「（ａ）」、「（ｂ）」など）及び／又は数字（例えば「（ｉ）」、「（ｉｉ）」など）は読みやすさを支援するため及び区別及び／又は特定を助けるために使用され、他の方法で限定すること、又は任意の連続的又は数値的限定又は順序付けを課す又は示唆するためのものではない。同様に、説明及び特許請求の範囲における例えば「特定の(particular)」、「特定の(specific)」、「特定の(certain)」及び「所与の」という言葉は、使用される場合、区別又は特定するためであり、他の方法で限定するためのものではない。
【００７７】
[0081]  特許請求の範囲を含む本明細書で使用される場合、「複数の(multiple)」及び「複数の(plurality)」という用語は、「２つ以上の」を意味するとともに「２つ」の場合を含む。したがって、例えば、「複数のＡＢＣ、」という表現は「２つ以上のＡＢＣ、」を含むとともに「２つのＡＢＣ」を含む。同様に、例えば、「複数のＰＱＲ、」という表現は「２つ以上のＰＱＲ、」を意味するとともに「２つのＰＱＲ」を含む。
【００７８】
[0082]  本発明はまた、正確な表現、特徴、値及び範囲などを、これらの表現、特徴、値及び範囲などが、例えば約、おおよそ、概して、実質的に、本質的に、少なくともなどの表現と併せて使用される場合、含める（すなわち、「約３」又は「およそ３」は厳密に３も含み、又は「実質的に一定の」は厳密に一定のも含む）。
【００７９】
[0083]  特許請求の範囲を含む本明細書で使用される場合、文脈からそうではないと示されない限り、用語の単数形は複数形も含むと解釈され、逆もまた同様である。したがって、本明細書で使用される場合、文脈から明らかにそうではないと示されない限り、単数形「a」、「an」及び「the」は複数への言及を含むことに留意されるべきである。
【００８０】
[0084]  説明及び特許請求の範囲の全体にわたって、「含む(comprise)」、「含んでいる(including)」、「有する(having)」、及び「包含する(contain)」という用語及びそれらのバリエーションは、「限定するものではないが含む」を意味するとして理解されるべきであり、具体的にそのように述べられていない限り、他のコンポーネントを除外するためのものではない。
【００８１】
[0085]  本発明の範囲に依然として該当しつつ本発明の実施形態に変更がなされ得ることが理解されよう。別段の定めがない限り、同じ、均等な又は同様の目的を果たす代替的特徴が、明細書において開示された特徴に取って代わり得る。したがって、別段の定めがない限り、開示された各特徴は、一般的な一連の均等な又は同様の特徴の一例を表す。
【００８２】
[0086]  本発明はまた、正確な表現、特徴、値及び範囲などを、これらの表現、特徴、値及び範囲などが、例えば約、おおよそ、概して、実質的に、本質的に、少なくともなどの表現と併せて使用される場合、含む（すなわち、「約３」はまた厳密に３も含むことになり、又は「実質的に一定の」はまた厳密に一定のも含むことになる）。
【００８３】
[0087]  例示のための言語、例えば「例えば(for instance)」、「例えば(such as)」、「例えば(for example)」、（「例えば(e.g.)」）などの使用は、単に本発明をより良好に例証することを意図したものであり、本発明の範囲に対する限界を、そのように具体的に主張されない限り、示すものではない。
【００８４】
[0088]  本発明は、最も実用的で好ましい実施形態であると現在のところみなされているものとの関連において説明されてきたが、本発明は開示された実施形態に限定されず、対照的に、添付のクレームの趣旨及び範囲内の様々な修正形態及び均等な配置構成を含むことが意図されることを理解されたい。
【図１】
2021524407.tif 000002
【図１Ａ】
2021524407.tif 000003
【図１Ｂ】
2021524407.tif 000004
【図２】
2021524407.tif 000005
【図３】
2021524407.tif 000006
【図４】
2021524407.tif 000007
【図５】
2021524407.tif 000008
【図６】
2021524407.tif 000009
【図７】
2021524407.tif 000010
【図８】
2021524407.tif 000011
【図９】
2021524407.tif 000012
【図１０】
2021524407.tif 000013
【図１１】
2021524407.tif 000014
【図１２】
2021524407.tif 000015
【図１３】
2021524407.tif 000016
【図１４】
2021524407.tif 000017
【図１５】
2021524407.tif 000018
【図１６】
2021524407.tif 000019
【図１７】
2021524407.tif 000020
【図１８】
2021524407.tif 000021
【図１９】
2021524407.tif 000022
【図２０】
2021524407.tif 000023
【図２１】
2021524407.tif 000024
【図２２】
2021524407.tif 000025
【図２３】
2021524407.tif 000026
【図２４】
2021524407.tif 000027
【図２５】
2021524407.tif 000028
【図２６】
2021524407.tif 000029
【図２７】
2021524407.tif 000030
【図２８】
2021524407.tif 000031
【図２９】
2021524407.tif 000032
【図３０】
2021524407.tif 000033
【図３１】
2021524407.tif 000034
【図３２】
2021524407.tif 000035
【図３３】
2021524407.tif 000036
【図３４】
2021524407.tif 000037
【図３５】
2021524407.tif 000038
【図３６Ａ】
2021524407.tif 000039
【図３６Ｂ】
2021524407.tif 000040
【図３６Ｃ】
2021524407.tif 000041
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
１つ又は複数の付属品を保持するように適合されたデバイスであって、前記デバイスが、
上部分と、下部分と、前記上部分及び前記下部分の間に延在する第１側部と、を有する本体と、
前記上部分で構成された１つ又は複数の字消しと、
前記下部分で構成された第１保持要素と、を備え、
前記第１保持要素が、筆記用先端を含む第１筆記デバイスを保持するように適合され、前記筆記用先端が、前記第１側部から筆記における使用のために十分な距離だけ横方向外向きに延在する、デバイス。
【請求項２】
前記デバイスが、前記上部分で構成された第２保持要素をさらに備え、前記第２保持要素が１つ又は複数の第２筆記デバイスを保持するように適合される、請求項１に記載のデバイス。
【請求項３】
前記１つ又は複数の字消しが少なくとも１つのホワイトボード字消しを含み、１つ又は複数の第１筆記デバイスが少なくとも１つのホワイトボードマーカを含む、請求項１に記載のデバイス。
【請求項４】
前記１つ又は複数の字消しの少なくとも１つの長手方向軸が、前記第１保持要素と共に構成された１つ又は複数の第１筆記デバイスの少なくとも１つの長手方向軸から第１角度だけオフセットされる、請求項１に記載のデバイス。
【請求項５】
前記第２保持要素と共に構成された前記１つ又は複数の第２筆記デバイスの少なくとも１つの長手方向軸が、前記下部分の長手方向軸から第２角度だけオフセットされる、請求項２に記載のデバイス。
【請求項６】
前記第１保持要素が空洞を含む、請求項１に記載のデバイス。
【請求項７】
前記１つ又は複数の字消しが全部で２つの字消しを含み、第１字消しが第２字消しに対して角度オフセットを含む、請求項１に記載のデバイス。
【請求項８】
１つ又は複数の筆記デバイスの少なくとも１つが少なくとも１つのタッチペンを含む、請求項１に記載のデバイス。
【請求項９】
前記少なくとも１つのタッチペンがアクティブタッチペン及びパッシブタッチペンを含む、請求項８に記載のデバイス。
【請求項１０】
前記デバイスが前記上部分と前記下部分との間に構成された枢動要素をさらに含み、前記上部分及び／又は前記下部分が前記枢動要素を中心として枢動するよう適合される、請求項１に記載のデバイス。
【請求項１１】
前記１つ又は複数の字消しの少なくとも１つが前記上部分と取り外し可能に構成される、請求項１に記載のデバイス。
【請求項１２】
字消し流体タンクをさらに備える、請求項１に記載のデバイス。
【請求項１３】
レーザポインタをさらに備える、請求項１に記載のデバイス。
【請求項１４】
前記デバイスが字消し側を下にして表面に置かれると、前記１つ又は複数の筆記デバイスの前記少なくとも１つが傾斜した角度となる、請求項４に記載のデバイス。
【請求項１５】
前記第１側部が、開口であって、前記筆記用先端が貫通する開口を含む、請求項１に記載のデバイス。
【請求項１６】
前記筆記用先端が、筆記用先端キャップが前記筆記用先端上に配置されることを可能にするのに十分な距離だけ外向きに延在する、請求項１に記載のデバイス。
【国際調査報告】
2021524407.tif 000042
2021524407.tif 000043